【事件の表示】
　平成　５年特許願第５１９５５０号「圧縮コードを用いたテレビ番組録画予約」拒絶査定不服審判事件〔平成　５年１１月１１日国際公開、ＷＯ９３／２２８７２、平成　７年　９月２８日国内公表、特表平　７−５０８８４８〕について、次のとおり審決する。
【結　論】
　本件審判の請求は、成り立たない。
【理　由】
１．手続の経緯・本願発明
　本願は、１９９３年４月３０日（パリ条約による優先権主張外国庁受理１９９２年５月１日、米国）を国際出願日とする出願であって、その請求項１〜６３に係る発明は、平成１４年１１月１８日付けの手続補正書で補正された明細書の特許請求の範囲の請求項１〜６３に記載されたとおりのものであって、その請求項１に係る発明（以下、「本願発明」という。）は、次のとおりのものである。
　
　
「圧縮コードを用いてレコーダのプリプログラムを行うための装置において、該装置が、少なくとも１桁からなる圧縮コードを入力するための手段と、上記の圧縮コードをチャネル、日付、時刻、および長さの各コマンドに復合するための手段とを含むリモートコントロール手段；
　上記リモートコントロール手段に結合され、時間の関数として出力を供給するためのクロック；
　上記の日付および時刻コマンドを、第１のあらかじめ定められた関係に関して、クロックの出力と比較する手段；
　記録手段；
　上記リモートコントロール手段に結合され、第１のあらかじめ定められた関係が成り立っていることが判明したときに、上記記録手段に対して記録開始コマンドを送信するようになされている送信手段；
　チャネル選択手段；
　上記チャネルコマンドの少なくとも１つのチャネル番号に対する少なくとも１つのローカルチャネル番号を上記リモートコントロール手段に記憶する手段；
　上記チャネルコマンドのチャネル番号に対応するローカルチャネル番号と、これらの相関関係とを上記の記憶する手段に入力する手段であって、上記リモートコントロール手段の外部に備えられている上記の入力する手段；
　上記リモートコントロール手段に結合され、記録開始コマンドが送信されてから後の時間長さを測定する手段；および
　上記長さコマンドを、第２のあらかじめ定められた関係に関して、測定された記録時間長さと比較する手段を含み、
　上記送信手段は、第１のあらかじめ定められた関係が成立することが判明したときに、上記記憶する手段に記憶されたローカルチャネル番号に従って上記チャネルコマンドを上記チャネル選択手段に対して送信するようになされ、上記送信手段は、第２のあらかじめ定められた関係が成立することが判明したときに、上記記録手段に対して記録停止コマンドを送信するようになされていることを特徴とする装置。」
　
　
２．引用例に記載された発明
１）第１引用例
　これに対して、原査定の拒絶の理由で引用された国際公開第９０／０７８４４号パンフレット（１９９０年７月１２日国際公開、以下、「第１引用例」という。なお、必要であれば特表平４−５０２６８１号公報も併せて参照されたい。）には、図面とともに次の技術事項が記載されている。
（ａ）
「 1. Field of the Invention
This invention relates generally to video cassette recorder systems and particularly to the timer preprogramming feature of video cassette recorders (VCRs) and to an apparatus and method for using encoded information to shorten the time required to perform timer preprogramming.」（１頁１１行〜１７行)
　
（（訳）１．技術分野
この発明は、ビデオカセットレコーダ装置に関するもので、特に、ビデオカセットレコーダ（ＶＣＲ）のタイマ予約機能及びタイマ予約を行うために必要な時間を短縮するための符号化処理情報の使用方法及び装置に関するものである。）
　
（ｂ）
「A G-code consists of 1 to 7 digits, although more could be used, and is associated with a particular program. A user would lookup the G-code in a program guide and just enter the G-code on the remote controller 12, instead of the present state of the art, which requires that the user enter the actual channel, date, time and length (CDTL) commands.」（６頁１１行〜１６行）
　
（（訳）Ｇコードは、１桁乃至７桁で構成され、特定の番組に関連付けられている。なお、Ｇコードの桁数は上記よりも多くすることが可能である。従来の実際のチャンネル、日付、時刻、長さくＣＤＴＬ）のコマンドの入力を要する技術とは異なり、ユーザーは、プログラムガイドからＧコードをさがし、Ｇコードのみをリモートコントローラ１２に入力する。）
　
（ｃ）
「In order for theG-code to be useful it must be decoded and apparatus for that purpose must be provided. Referring to FIG.1, a video cassette recorder/player with G-code decoder 14 is provided to be used in conjunction with remote controller 12.The command signal 16 sent from the remote controller 12 is sensed by the photodiode 32 and converted to electrical signals by command signal receiver 30. The electrical signals are sent to a command controller 36, which interprets the commands and determines how to respond to the commands. As shown in FIG. 1, it is also possible for the command controller 36 to receive commands from the manual controls 34 that are normally built into a VCR. Other possible command sources include voice if a speech recognizer is incorporated into the VCR and a bar code scanner.If the command controller 36 determines that a G-code was received then the G-code will be sent to the G-code decoder 38 for decoding. The G-code decoder 38 converts the G-code intoCDTL information, which is used by the command controller 36 to set the time/channel programming 40. Built into the VCR is a clock 42. This is normally provided in a VCR and is used to keep track of the date and time. The clock 42 is used primarily by the time/channel programming 40 and the G-code decoder 38 functions. The time/channel programming 40 function is set up with CDTL information by the command controller 36. When the proper date and time is read from clock 42, then the time/channel programming 40 function turns the record/playback 44 function on to record. At the same time the tuner 46 is tuned to the proper channel in the television signal 18.」（７頁２４行〜８頁１６行）
　
（（訳）Ｇコードを使用出来るようにするために、Ｇコードを逆符号化処理することが必要となり、このための装置が必要となる。第１図において、Ｇコード逆符号化処理器を備えたビデオカセット記録／再生装置１４は、リモートコントローラ１２とともに使用される。リモートコントローラ１２から送出されるコマンド信号１６は、フォトダイオード３２で検出され、コマンド信号レシーバ３０により電気信号に変換される。電気信号は、コマンドコントローラ３６に送られ、コマンドコントローラ３６はコマンドを検知し、どのようにコマンドに対応するかを決定する。第１図に示すように、コマンドコントローラ３６は、通常ＶＣＲに設けられている手動制御盤３４からのコマンドを受けることも出来る。他のコマンド発生源は、ＶＣＲに音声認識装置が設けられている場合の音声や、バーコード走査装置である。コマンドコントローラ３６が、Ｇコードを受けたことを判別すると、入力されたＧコードは逆符号化処理のためにＧコードデコーダ３８に送られる。Ｇコードデコーダ３８は、Ｇコードをコマンドコントローラ３６によって時刻／チャンネルプログラミング４０に使用されるＣＤＴＬ情報に変換される。ＶＣＲにはクロック４２が内蔵される。これは、ＶＣＲに通常設けられるもので、日付及び時刻を現在の日及び時刻に一致させる。クロック４２は、おもに時刻／チャンネルプログラミング４０及びＧコードデコーダ３８によって使用される。時刻／チャンネルプログラミング４０は、コマンドコントローラ３６によりＣＤＴＬ情報による設定を行う。適正な日付及び時刻がクロック４２より読み取られると、時刻／チャンネルプログラミング４０が機能して録画／再生機構４４が動作して録画を行う。同時に、同調機構４６が、テレビ信号１８の適正なチャンネルに同調される。）
　
（ｄ）
「A possible realization of the command controller 36 and theG-code decoder 38 is shown in FIG. 2. The command controller 36 function can be realized with a microprocessor 50, a random access memory 52 and a read only memory 54, which is used for program storage. The input/output 56 function is adapted to receive commands from the command signal receiver 30, the manual controls 34 and the clock 42, and to output signals to a display 35, the clock 42, and the time/channel programming 40 function.If the microprocessor 50 interprets that a G-code has been received, then the G-code is sent to microcontroller 60 for decoding. The microcontroller 60 has an embedded random access memory 62 and an embedded read only memory 64 for program and table storage. The clock 42 can be read by both microprocessor 50 and microcontroller 60.」（８頁３３行〜９頁１２行）
　
（（訳）コマンドコントローラ３６及びＧコードデコーダ３８の一例を第２図に示す。コマンドコントローラ３６の機能は、マイクロプロセッサ５０、記憶装置として使用されるランダムアクセスメモリ５２、リードオンリーメモリ５４によって実現することが出来る。入出力装置５６はコマンド信号レシーバ３０、手動制御盤３４及びクロック４２からコマンドを受け、ディスプレイ３５、クロック４２及び時刻／チャンネルプログラミング４０に出力信号を出力するように構成されている。マイクロプロセッサ５０がＧコードが入力されていると判定すると、Ｇコードは逆符号化処理のためにマイクロコントローラ６０に送られる。マイクロコントローラ６０はランダムアクセスメモリ６２及びリードオンリーメモリ６４を内蔵し、プログラム及びテーブルを格納する。クロック４２は、マイクロプロセッサ５０とマイクロコントローラ６０によって読み取られる。）
　
（ｅ）
「FIG. 3 illustrates an alternate preferred embodiment of this invention. In FIG. 3 a remote controller with embedded G-code decoder 80 is provided. The remote controller with embedded Gcode decoder 80 is very similar to remote controller 12, except for the addition of the G-code decoder 82. Note that it is also possible in any remote controller to provide a display 84. The remote controller with embedded G-code decoder 80 would be used in conjunction with a normal video cassette recorder/player 70, which would not be required to have an embedded G-code decoder.The numerals for the subelements of video cassetterecorder/piayer 70 are the same as described above for the video cassette recorder/player with G-code decoder 14 and have the same function, except for the absence of G-code decoder 38. This preferred embodiment has the advantage that it can be used in conjunction with VCRs that are presently being used. These do not have a G-code decoding capability. Replacing their remote controllers with ones that have this capability built-in can vastly improve the capability to do timer preprogramming for a modest cost.
　
FIG 4 illustrates a possible realization of the G-code decoder 82 built into the remote controller with embedded G-code decoder 80. A microprocessor 60 can be used as before to decode the G-code, as well as interface with the display 84, a clock 85, the keypad 88 and the light emitting diode 28. Alternately, other hardware implementations can be used to perform the G-code decoding. The clock is provided in the remote controller 80 so that the G-code decoder 82 can be made to have the clock as one of its inputs. This allows the G-code decoding to be a function of the clock, which lends a measure of security to the decoding technique and makes it harder to copy.
　
The remote controller with embedded G-code decoder as described above would send channel, date, time and length information to the video cassette recorder/player 70, which would use the CDTL information for tuning into the correct channel and starting and stopping the recording function. The remote controller may have to be unique for each different video cassette recorder/player, because each brand or model may have different infrared pulses for each type of information sent such as the channel number keys and start record and stop record keys.The particular infrared pulses used for each key type can be called the vocabulary of the particular remote controller. Each model may also have a different protocol or order of keys that need to be pushed to accomplish a function such as timer preprogramming. The protocol or order of keys to accomplish a function can be called sentence structure. If there is a unique remote controller built for each model type, then the proper vocabulary and sentence structure can be built directly into the remote controller.
　
　An alternate to having the remote controller with embeddedG-code decoder send channel, date, time and length information to the video cassette recorder/player 70, is to have the remote controller with embedded G-code decoder perform more operations to simplify the interfacing problem with existing video -cassette recorder/players. In particular, if the remote controller not only performs the G-code decoding to CDTL, but also keeps track of time via clock 85, then it is possible for the remote controller to send just channel, start record and stop commands to the video cassette recorder/player. These are usually basic one key commands, which means there is no complicated protocol or sentence structure involved.Thus, to communicate with a diverse set of video cassette recorder/player models it is only necessary to have memory within the remote controller, such as ROM 64 of FIG. 4, for storing the vocabulary for all the models or at least a large subset. The G-code would be entered on the remote controller as before and decoded into channel, date, time and length information, which would be stored in the remote controller. Via clock 85, the time would be checked and when the correct time arrives the remote controller would automatically send out commands to the VCR unit for tuning to the correct channel and for starting and stopping the recording.  」（１０頁１行〜１２頁５行）
　
（（訳）第３図は本発明の他の実施例を示している。第３図において、リモートコントローラはＧコードデコーダ８０を内蔵している。リモートコントローラに内蔵されたＧコードデコーダ８０はリモートコントローラ１２同様に非常に小型に形成されているが、これに加えてＧコードデコーダ８２が設けられている。いずれのリモートコントローラにもディスプレイ８４を設けることが出来る。Ｇコードデコーダ８０を内蔵したリモートコントローラは、通常のビデオカセット記録／再生装置７０とともに用いられる。ビデオカセット記録／再生装置にはＧコードデコーダを設ける必要はない。ビデオカセット記録／再生装置７０の構成要素は、Ｇコードデコーダを内蔵したビデオカセット記録／再生装置１４に関して説明したものと同様であり、機能もＧコードデコーダ３８が無い以外は同一である。この好適実施例は、現在使用されているＶＣＲとともに使用できる利点がある。これらはＧコードの逆符号化処理能力を有していない。それらのリモートコントローラをＧコードの逆符号化処理能力を有するものに変更することにより、僅かなコストでタイマ予約機能を飛躍的に改善することが出来る。
　第４図は、Ｇコードデコーダ８０を内蔵したリモートコントローラにＧコードデコーダ８２を取り付ける実施例を示している。マイクロコントローラ６０を、前述と同様にＧコードの逆符号化処理に用いることが可能であり、同様にディスプレイ８４のインターフェース、クロック８５、キーボード８８及び発光ダイオード２８も前述のものと同様である。一方、Ｇコードの逆符号化処理を行うことの出来る他のハードウェアを用いることも可能である。リモートコントローラ８０には、Ｇコードデコーダ８２が一つの入力としてクロックを使用できるようにクロックが設けられている。これによりクロックの関数としてＧコードを逆符号化処理することが可能となり、デコーダ技術を保護し、複製を防止することが可能となる。
　前述したようにＧコードデコーダを内蔵したリモートコントローラは、チャンネル、日付、時刻、長さの情報をビデオカセット記録／再生装ａ７０に供給し、ビデオカセット記録／再生装置によって正しいチャンネルへの同調及び録画の開始時刻及び終了時刻に関するＣＤＴＬ情報をして用いられる。リモートコントローラは、各ブランド及び型式ごとに異なる赤外線パルスを使用してチャンネル番号キー、録画開始、録画終了キー等の各種の情報を使用しているので、ビデオカセット記録／再生装置ごとに独特である必要がある。特に、各種キーに使用される赤外線パルスは特定のリモートコントローラの言語と呼ぶことが出来る。各モデルは、また、異なるプロトコルまたはタイマ予約等の機能を行うための独自のキーの順序を有している。プロトコルやキー操作の順序は、文章構造を呼ぶことが出来る。それぞれのモデルにそれぞれ独特のリモートコントローラ作成するとすれば、適正な言語及び文章構造をリモートコントローラに設定することが出来る。
　チャンネル、日付、時刻及び長さの情報をビデオカセット記録／再生装置７０に送出するＧコードデコーダを内蔵したリモートコントローラに代えて、既存のビデオカセット記録／再生装置とのインターフェースを単純化するための動作を行うＧコードデコーダを用いるリモートコントローラを設けることも可能である。特にリモートコントローラがＧフードのＣＤＴＬへの逆符号化処理ばかりでなくクロック８５による時刻の保持も行う場合、リモートコントローラにチャンネル、開始時刻、終了時刻のコマンドをビデオカセット記録／再生装置に送出させるようにすることも可能である。これらは、通常基本的な一つのキーによるコマンドであり、複雑なプロトコルや文章構造を含むものではない。従って、ビデオカセット記録／再生装置の異なる型式の組と交信を行う場合、第４図のＲＯＭ６４等のリモートコントローラのメモリに全ての型式または少なくともその大部分の言語を格納することのみが必要となる。Ｇコードは、チャンネル、日付、時刻及び長さの情報に逆符号化処理される以前にリモートコントローラに入力され、リモートコントローラに記憶される。クロック８５を介して、時刻がチェックされ、設定時刻がくるとリモートコントローラが自動的にコマンドをＶＣＲユニットに送出して、選択されたチャンネルに同調させ、録画の開始及び終了を行わせる。）
　
（ｆ）
「For cable television programs, there is an additional issue that needs to be addressed for the compressed G-code to be useful. In a normal television guide, CDTL information is available for all the normal broadcast channels in the form of numbers including the channel numbers, such as channel 4 or 7.However, for cable channels like HBO, ESPN etc., only the names of the channels are provided in most television listings. The reason for this is that in some metropolitan areas, such as Los Angeles, there may be only one (1) edition of television guide, but there may be quite a few cable carriers, each of which may assign HBO or ESPN to different cable channel numbers. In order for a compressed code such as the G-code to be applicable to the cable channels as published by a wide area television guide publication, the following approach can be used.
　
　First, all the cable channels would be permanently assigned a unique number, which would be valid across the nation. For example, we could assign ESPN to cable channel 1, HBO as cable channel 2, SHO as cable channel 3, etc. This assignment would be published by the television guide publications.
　
　The video cassette recorder apparatus, such as the remote controller, the VCR unit or both, could then be provided with two (2) extra modes: set and cable channel. One way of providing the user interface to these modes would be to provide two (2) extra buttons: one called SET and one called CABLE CHANNEL. The buttons could be located on the video cassette recorder unit itself or located on a remote controller, as shown in FIGs 1, 3 and 5, where SET is element 168 and CABLE CHANNEL is element 170. Of course, other user interfaces are possible.
　
　Next, the television viewer would have to go through a onetime setting procedure of his VCR for all the cable channels that he would likely watch. This setting procedure would relate each of the assigned numbers for each cable channel to the channel number of the local cable carrier. For example, suppose that the local cable carrier uses channel 6 for ESPN, then cable channel number 1 could be assigned to ESPN, as shown in the following table.
　
Cable Channel 
Assigned
Channel Number in
　  
Name
Cable Chan. No.
the local cable carrier
　　EPSN　　　　1　　　　　　　　　6
　　HBO　　　　2　　　　　　　　　24
　　SHO　　　　3　　　　　　　　　23
　　　.　　　　　.　　　　　　　　　.
　　　.　　　　　.　　　　　　　　　.
　　　.　　　　　.　　　　　　　　　.
　　DIS　　　　8　　　　　　　　　25
　
The user could perform the setting procedure by pushing the buttons on his remote controller as follows:
　
　SET 06 CABLE CHANNEL 1 PROGRAM
　SET 24 CABLE CHANNEL 2 PROGRAM
　SET 23 CABLE CHANNEL 3 PROGRAM
　SET 25 CABLE CHANNEL 8 PROGRAM
　The setting procedure would create a cable channel address table 162, which would be loaded into RAM 52 of command controller 36. For the above example, the cable channel address table 162 would have the following information.
　
CABLE CHANNEL ADDRESS TABLE 162
　　　1　　　6
　　　2　　　24
　　　3　　　23
　　　.
　　　.
　　　.
　　　8　　　25
　
After the setting procedure is performed, the TV viewer can now select cable channels for viewing by the old way: eg.pushing the key pad buttons 24 will select HBO. He can also do it the new way: eg. by pushing CABLE CHANNEL 2, which will also select HBO. The advantage of the new way is that the television guide will publish [ C2 ] next to the program description, so the viewer will just look up the assigned channel number instead of having to remember that HBO is local cable channel 24. When theCABLE CHANNEL button is pushed, command controller 36 knows that it will look up the local cable channel number in cable channel address table 162 to tune the VCR to the correct channel.」（２６頁１行〜２８頁１８行）
　
（（訳）ケーブルテレビの番組の場合には、圧縮されたＧコードを使用できるようにするために付加的な事柄が必要となる。通常のテレビガイドには、通常の放送されている放送局のチャンネルは、例えばチャンネル４、チャンネル７といったようにチャンネル番号で表示されており、これらの放送のＣＤＴＬ情報が示されている。しかしながら、ケーブルテレビのチャンネルは、はとんどのテレビ番組票ではＨＢＯ，ＥＳＰＮ等のようにケーブル局の名前のみで示されている。この理由は、例えばロスアンジェルスのような大都市では単一のテレビガイドのみが発行されており、ケーブル局が少なく、ＨＢＯ，ＥＳＰＮ等のそれぞれが別のケーブルチャンネルを割り当てられているためである。圧縮コードまたはＧコードをケーブルテレビにも適用出来るようにするために、以下の方法を採用することが出来る。
　まず、全てのケーブル局には割り当てられた固定のチャンネル番号があり、この番号は全国に共通である。例えば、ＥＳＰＮにケーブルチャンネル１を割当、ＨＢＯにケーブルチャンネル２、ＳＨＯにケーブルチャンネル３といったようにチャンネルを割り当てることが出来る。こうして割り当てられたケーブルチャンネル番号は、テレビガイドの出版者により出版される。
　リモートコントローラ、ＶＣＲユニットまたはその双方で構成されるビデオカセット記録／再生装置には、“セット”及び“ケーブルチャンネル”の二つのモードが追加される。ユーザーがこれらのモードを使用できるようにするために、二つのボタンが追加される。一方のボタンはセットボタンであり、他方はケーブルチャンネルボタンである。これらのボタンは、ビデオカセット記録／再生装置自体またはリモートコントローラに、第３図及び第５図に示すように配置される。なお図においてセットボタンは１６８で示され、ケーブルチャンネルボタンは１７０で示されている。勿論、他の方法によりユーザーがこれらのモードを使用するようにする事もできる。　次に、テレビを観賞する人は、かれが見たいケーブルチャンネルをＶＣＨにセットする操作を行わなければならない。このセット方法は、ケーブルテレビのローけるものである。例えば、ケーブルテレビＥＳＰＨのローカル局がチャンネル６である場合、ＥＳＰＮにチャンネル番号１を、以下のテーブルに示すように割り当てることが出来る。
ケーブルチャンネル　　割当ケーブル　　　ローカル局
　　名　　　　　　　　チャンネル番号　　チャンネル番号
　ＥＰＳＮ　　　　　　　　１　　　　　　　　　６
　ＨＢＯ　　　　　　　　　２　　　　　　　　　２４
　ＳＨＯ　　　　　　　　　３　　　　　　　　　２３
　　．　　　　　　　　　　．　　　　　　　　　　．
　　．　　　　　　　　　　．　　　　　　　　　　．
　　．　　　　　　　　　　．　　　　　　　　　　．
　ＤＩＳ　　　　　　　　　８　　　　　　　　　２５
　ユーザーは、リモートコントローラのボタンを以下のように操作してセット操作を行うことが出来る。
　セット　０６　ケーブルチャンネル　１　プログラム
　セット　２４　ケーブルチャンネル　２　プログラム
　セット　２３　ケーブルチャンネル　３　プログラム
　セット　２５　ケーブルチャンネル　８　プログラム
　セット操作によりケーブルチャンネルアドレステーブル１６２が形成される。このケーブルチャンネルアドレステーブルはコマンドコントローラ３６のＲＡＭ５２にロードされる。上記の例に関して設定されるケーブルチャンネルアドレステーブル１６２は以下のようになる。
　　ケーブル　　チャンネルアドレステーブル１６２
　　　１　　　　　　６
　　　２　　　　　２４
　　　３　　　　　２３
　　　．            
　　　．　　　　　　 
　　　．　　　　　　　
　　　８　　　　　２５
　セツト操作を行っ後に、テレビの観賞者は従来からの方法でケーブルテレビを選択し、観賞することが出来る。この場合、２４とキー操作をすることによってＨＢＯが選択される。また、これとは別に、ケーブルチャンネルボタンと２を操作することによってもＨＢＯを選択することが出来る。新しい方法の利点は、テレビガイドの番組の説明のあとに［Ｃ２］が表示されるので、観賞者はＨＢＯのローカル局がチャンネル２４であることを思い出す必要がなく、単に割り当てられたチャンネル番号を見れば良いことになる。ケーブルチャンネルボタンが押圧されると、コマンドコントローラ３６はケーブルチャンネルアドレステーブル１６２からケーブルチャンネルのローカル局の番号を検索して、選択されたローカル局のチャンネル番号に同調させる。）
　
（ｇ）
「For timer preprogramming, the viewer need only enter the number 4679 according to the unit's G-code entry procedure, eg.PROG 4679 PROG. The G-code decoder unit will decode this G-code into cable channel2 and will also signal the command controller 36 with a cable channel signal 164, as shown in FIGs.1 and 2, because the extra channel bit will be 1 which distinquishes that the G-code is for a cable channel; then, since the association of cable channel 2 with channel 24 has been established earlier in the setting procedure, the command controller, if it has received a cable channel signal, will immediately look up 2 in the cable channel address table 162 to translate it to cable channel 24, which will be used as the recording channel at the appropriate time. By associating the Gcode with the assigned cable channel number rather than the local cable channel number, the G-code for that program will be valid in the whole local area, which may have many different cable carriers each of which may have different local cable channel numbers.」（２９頁２３行〜３０頁６行）
　
（（訳）タイマ予約を行う場合には、観賞者はユニットの６コード入力方法に従って４６７９の番号を入力するのみである。実際の入力操作においては、ＰＲＯＧ　４６７９ＰＲＯＧをキー操作が行われる。Ｇコードデコーダユニットは、このＧコードが、“ケーブルチャンネル２”であることを逆符号化処理して、第１図及び第２図に示すようにコマンドコントローラ３６にケーブルチャンネル信号１６４とともに信号を送出する。このとき追加のチャンネルビットは“１”であるので、Ｇコードがケーブルチャンネルのものであることが識別される。“ケーブルチャンネル２”とチャンネル２４の相関が前述のセット操作によって形成されているので、ケーブルチャンネル信号を受信すると、コマンドコントローラは、ケーブルチャンネルアドレステーブル１６２を検索して、それがケーブルチャンネル２４であることを検出する。このチャンネル２４が録画時の同調チャンネルとなる。Ｇコードをケーブルチャンネルのローカル局のチャンネル番号ではなく割り当てられたケーブルチャンネル番号と相関させることにより、予約のためのＧコードはいずれのエリアにおいても有効となり、それぞれの地方において異なるチャンネル番号のケーブルチャンネルのローカル局によって放送されるケーブルチャンネルのタイマ予約を行うことが出来るものとなる。）
　
（ｈ）
「57. An apparatus for using encoded video recorder/player timer preprogramming information for a recorder that comprises:
means for remote control having a means for transmitting signals;
means for compressed code entry electrically coupled to said means for remote control;
means for decoding a compressed code into channel, date, time and length information electrically coupled to said means for remote control;
means for storing said channel, date, time and length information in said remote control;
a means for keeping time electrically coupled to said means for remote control,
means for command control electrically coupled to said means for remote control;
 and wherein said means for command control compares the stored date, time and length information to said means for keeping track of time and sends at the appropriate time start record and stop record commands and channel select commands to a VCR unit via said transmit signals from said means for remote control.」（６０頁１行〜２１行）
　
（（訳）５７．信号を発信する手段を有するリモートコントロール手段と、
前記リモートコントロール手段と電気的に結合され、圧縮コードを入力する手段と、
前記リモートコントロール手段に電気的に結合され、前記圧縮コードをチャンネル、日付、時刻及び長さの情報に逆符号化処理する手段と、
前記リモートコントロール手段に、チャンネル、日付、時刻及び長さの情報を記憶する手段、
前記リモートコントロール手段に電気的に結合され時間の計測を行う手段と、
前記リモートコントロール手段に電気的に結合されたコマンド制御手段と、
前記コマンド制御手段は記憶している日付、時刻及び長さの情報と前記時間の計測を行う手段を比較し、所定の時間に録画開始コマンド、録画終了コマンド及びチャンネル選択コマンドをＶＣＲユニットにリモートコントロール手段からの発信信号を介して送出するように構成した符号化処理されたビデオカセット記録／再生装置のタイマ予約情報の使用装置。）
　
　上記記載事項及び図面の記載を総合勘案すると、結局、上記第１引用例には、次の発明が記載されている。
　
「圧縮コードを用いてビデオカセット記録再生装置のタイマ予約を行う装置において、
　信号を発信する手段を有するリモートコントロール手段が、
　前記リモートコントロール手段と電気的に結合され、圧縮コードを入力する手段と、
　前記リモートコントロール手段に電気的に結合され、少なくとも１桁の前記圧縮コードをチャンネル、日付、時刻及び長さの情報に逆符号化処理する手段と、
　前記リモートコントロール手段に、チャンネル、日付、時刻及び長さの情報を記憶する手段、
　前記リモートコントロール手段に電気的に結合され時間の計測を行う手段と、
　前記記憶している日付、時刻及び長さの情報と前記時間の計測を行う手段を比較し、所定の時間に録画開始コマンド、録画終了コマンド及びチャンネル選択コマンドを前記記録／再生装置にリモートコントロール手段からの発信信号を介して送出する、前記リモートコントロール手段に電気的に結合されたコマンド制御手段からなり、
　前記ビデオカセット記録再生装置は、
　記録／再生装置４４と、
　前記リモートコントロール手段からのチャンネル選択コマンドに基づきテレビ信号を適正なチャンネル番号に同調させる同調機構４６と、
　コマンドコントローラ３６と、
　前記コマンドコントローラ３６内の、前記リモートコントロール手段のボタンにより入力される、ケーブルチャンネル番号とローカル局のチャンネル番号の相関表であるケーブルチャンネルアドレステーブル１６２を記憶するＲＡＭ５２とからなり、
　前記コマンドコントローラ３６は、前記リモートコントロール手段からのチャンネル選択コマンドをケーブルチャンネルアドレステーブル１６２に基づきローカル局のチャンネル番号に変換し同調機構４６を同調させる、
　圧縮コードを用いて記録／再生装置のタイマ予約を行う装置。」
　
　
３．対　比
　
　本願発明と上記第１引用例に記載された発明とを対比する。
　
　第１引用例に記載された発明における「ビデオカセット記録再生装置」、「タイマ予約を行う装置」、「逆符号化処理する手段」、「時間の計測を行う手段」、「信号を発信する手段」、「記録／再生装置４４」、「チャンネ選択ルコマンド」、「チャンネル番号」、「同調機構４６」、及び「ローカル局のチャンネル番号」は、本願発明における「レコーダ」、「プリプログラムを行うための装置」、「復合するための手段」、「クロック」、「送信手段」、「記録手段」、「チャネルコマンド」、「チャネル番号」、「チャネル選択手段」、及び「ローカルチャネル番号」に相当する。
　
　第１引用例に記載された発明における「記憶している日付、時刻及び長さの情報と前記時間の計測を行う手段を比較し、所定の時間に録画開始コマンド、録画終了コマンド及びチャンネル選択コマンドを前記ビデオカセット記録再生装置にリモートコントロール手段からの発信信号を介して送出する、前記リモートコントロール手段に電気的に結合されたコマンド制御手段」とは、「コマンド制御手段」が「日付、時刻及び長さの情報」と「時間の計測を行う手段」と比較し、「録画開始コマンド」、「録画終了コマンド」、及び「チャンネル選択コマンド」を送信するものであるから、第１引用例に記載された「コマンド制御手段」が本願発明における「クロックの出力と比較する手段」、「記録開始コマンドが送信されてから後の時間長さを測定する手段」、及び「測定された記録時間長さと比較する手段」に相当しており、また、第１引用例に記載された発明においても「コマンド制御手段」が「送信手段」に対して、「送信手段は、第１のあらかじめ定められた関係が成立することが判明したときに、上記チャネルコマンドを上記チャネル選択手段に対して送信するようになされ、上記送信手段は、第２のあらかじめ定められた関係が成立することが判明したときに、上記記録手段に対して記録停止コマンドを送信するよう」に制御しているものと認められる。
　
　また、第１引用例に記載され発明においても「ＲＡＭ５２」は、「ケーブルチャンネル番号とローカル局のチャンネル番号の相関表であるケーブルチャンネルアドレステーブル１６２」を記憶するものであるから、本願発明とは「チャネルコマンドの少なくとも１つのチャネル番号に対する少なくとも１つのローカルチャネル番号を記憶する手段」の点では一致している。
　
　さらに、第１引用例に記載された発明においても「リモートコントロール手段のボタン」により「ケーブルチャンネル番号とローカル局のチャンネル番号の相関」の入力を行っていることから、本願発明とは「チャネルコマンドのチャネル番号に対応するローカルチャネル番号と、これらの相関関係とを上記の記憶する手段に入力する手段」の点では一致している。
　
　そうすると、本願発明と第１引用例に記載された発明とは、次の点で一致する。
　
（一致点）
　
「圧縮コードを用いてレコーダのプリプログラムを行うための装置において、該装置が、少なくとも１桁からなる圧縮コードを入力するための手段と、上記の圧縮コードをチャネル、日付、時刻、および長さの各コマンドに復合するための手段とを含むリモートコントロール手段；
　上記リモートコントロール手段に結合され、時間の関数として出力を供給するためのクロック；
　上記の日付および時刻コマンドを、第１のあらかじめ定められた関係に関して、クロックの出力と比較する手段；
　記録手段；
　上記リモートコントロール手段に結合され、第１のあらかじめ定められた関係が成り立っていることが判明したときに、上記記録手段に対して記録開始コマンドを送信するようになされている送信手段；
　チャネル選択手段；
　上記チャネルコマンドの少なくとも１つのチャネル番号に対する少なくとも１つのローカルチャネル番号を記憶する手段；
　上記チャネルコマンドのチャネル番号に対応するローカルチャネル番号と、これらの相関関係とを上記の記憶する手段に入力する手段；
　上記リモートコントロール手段に結合され、記録開始コマンドが送信されてから後の時間長さを測定する手段；および
　上記長さコマンドを、第２のあらかじめ定められた関係に関して、測定された記録時間長さと比較する手段を含み、
　上記送信手段は、第１のあらかじめ定められた関係が成立することが判明したときに、上記チャネルコマンドを上記チャネル選択手段に対して送信するようになされ、上記送信手段は、第２のあらかじめ定められた関係が成立することが判明したときに、上記記録手段に対して記録停止コマンドを送信するようになされていることを特徴とする装置。」
　
一方、次の各点で相違する。
　
（相違点１）
　記憶する手段が、本願発明においてはリモートコントロール手段に設けられているのに対して、第１引用例に記載された発明ではビデオカセット記録再生装置に設けられている点。
　　
（相違点２）
　相関関係を記憶する手段に入力する手段が、本願発明ではリモートコントロール手段の外部に備えられているのに対して、第１引用例に記載された発明ではリモートコントロール手段のボタンである点。
　
（相違点３）
　チャネルコマンドのローカルチャネル番号への変換を、本願発明ではリモートコントロール手段側で行っているのに対して、第１引用例に記載された発明においてはビデオカセット記録再生装置側で行っている点。
 
　　
４．当審の判断
　
　そこで、上記各相違点について検討する。
１）相違点１、及び相違点３について
　リモートコントロール手段に記憶する手段を設けリモートコントロール手段の設定情報を記憶させることは周知の技術（例えば、実願昭６２−１６４３９４号（実開平１−６７８８８号）のマイクロフィルム（以下、「周知例１」という。特に、実用新案登録請求の範囲の記載）、国際公開第９２／０５６４１号パンフレット（以下、「周知例２」という。特に、３０頁３行〜１６行）、特開平４−７４０９５号公報（以下、「周知例３」という。特に、公報第２頁左下欄第５行〜同右下欄第６行を参照））に過ぎず、さらに、チャネルコマンドのチャネル番号とローカルチャネルの相関関係の情報をリモートコントロール手段の記憶する手段に記憶させることも周知の技術（例えば、周知例１を参照）に過ぎず、そして、リモートコントロール手段側に記憶する手段を設けるのであれば、リモートコントロール手段側でチャネルコマンドのローカルチャネル番号への変換を行うよう設計変更されるのが当然と考えられることから、第１引用例に記載された発明において、記憶する手段をリモートコントロール手段に設け、記憶する手段に記憶されたローカルチャネル番号に従って上記チャネルコマンドを上記チャネル選択手段に対して送信するようにすることは当業者が容易になし得たものである。　
　　
２）相違点２について　
　リモートコントロール手段に設けられたリモートコントロール手段に関する設定情報を記憶する手段の情報を、リモートコントロール手段の外部の入力手段によって設定することも周知の技術（例えば、周知例２、周知例３を参照）に過ぎないことから、第１引用例に記載された発明において、リモートコントロール手段の設定情報であるチャネルコマンドのチャネル番号とローカルチャネルの相関関係の情報の設定のために、リモートコントロール手段の外部の入力手段を設けることは当業者が容易になし得たものである。
　
　
５．むすび
　
　以上のとおりであって、本願の請求項１に係る発明は、上記第１引用例に記載された発明、及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。